(57)【要約】    【課題】  日毎に実行を管理すべき事項について、できる限りわかりやすく、取り扱いやすく、間違いのない確実な管理を実現することのできる、日毎管理用カレンダー構造を提供すること。    【解決手段】  日毎管理用カレンダー構造１０は、複数の日からなる一定期間の日付が連続的に表示されてなる各期表示シート１が二枚以上と、各期表示シート１を綴じる綴じ部７と、各期表示シート１に設けられる後記日付欄３の数と同数以上のフック６と、フック６を固定可能もしくはフック６が固定されている固定台部５とから構成される。それぞれの各期表示シート１には、当該期間の日付を示す共通様式の日付表示領域２が設けられ、日付表示領域２は各日に対応する日付欄３、３、・・・からなり、日付欄３にはフック６を通すためのフック用孔部４が設けられる。また固定台部５は、フック用孔部４を通るような位置関係をもってフック６を固定可能な構成を備える。【選択図】  図１
2011230438.tif 000002
【特許請求の範囲】
【請求項１】
複数の日からなる一定期間の日付が連続的に表示されてなる各期表示シート二枚以上と、
該各期表示シートを綴じる綴じ部と、
該各期表示シートに設けられる後記フック用孔部に通すためのフックと、
該フックを固定可能なもしくは該フックが固定されている固定台部とからなる日毎管理用カレンダー構造であって、
該各期表示シートには当該期間の日付を示す共通様式の日付表示領域が設けられ、
該日付表示領域は各日に対応する日付欄からなり、
少なくとも二以上の該日付欄には該フックを通すためのフック用孔部が設けられ、
該固定台部は該フック用孔部を通るような位置関係をもって該フックを固定可能なもしくは該フックが固定されているものであり、
これにより、全てのフックが綴じられた全ての各期表示シートのフック用孔部を貫通して最表面の各期表示シートから突出した状態を形成可能であるとともに、
該フックには日毎管理を要する対象物その他の吊り下げ物を吊り下げ可能である、日毎管理用カレンダー構造。
【請求項２】
複数の日からなる一定期間の日付が連続的に表示されてなる各期表示シート二枚以上と、該各期表示シートを綴じる綴じ部と、該各期表示シートに設けられる後記日付欄の数と同数以上のフックと、該フックを固定可能なもしくは該フックが固定されている固定台部とからなる日毎管理用カレンダー構造であって、該各期表示シートには当該期間の日付を示す共通様式の日付表示領域が設けられ、該日付表示領域は各日に対応する日付欄からなり、該日付欄には該フックを通すためのフック用孔部が設けられ、該固定台部は該フック用孔部を通るような位置関係をもって該フックを固定可能なもしくは該フックが固定されているものであり、これにより、全てのフックが綴じられた全ての各期表示シートのフック用孔部を貫通して最表面の各期表示シートから突出した状態を形成可能であるとともに、該フックには日毎管理を要する対象物その他の吊り下げ物を吊り下げ可能である、日毎管理用カレンダー構造。
【請求項３】
前記固定台部は前記綴じ部に綴じられていることを特徴とする、請求項１または２に記載の日毎管理用カレンダー構造。
【請求項４】
前記固定台部は最奥部の前記各期表示シートであることを特徴とする、請求項３に記載の日毎管理用カレンダー構造。
【請求項５】
前記固定台部は前記綴じ部に綴じられておらず、前記各期表示シートとは別体であることを特徴とする、請求項１または２に記載の日毎管理用カレンダー構造。
【請求項６】
前記固定台部には前記フックが予め固定されていることを特徴とする、請求項５に記載の日毎管理用カレンダー構造。
【請求項７】
前記吊り下げ物は医薬の服用に係るものであり、医薬服用の管理に用いられることを特徴とする、請求項１ないし６のいずれかに記載の日毎管理用カレンダー構造。
【請求項８】
複数の日からなる一定期間の日付が連続的に表示されてなる各期表示シート二枚以上と、該各期表示シートを綴じる綴じ部と、該各期表示シートに設けられる後記フック用孔部に通すためのフックを固定可能な固定台部とからなる日毎管理用カレンダーであって、該各期表示シートには当該期間の日付を示す共通様式の日付表示領域が設けられ、該日付表示領域は各日に対応する日付欄からなり、少なくとも二以上の該日付欄には該フックを通すためのフック用孔部が設けられ、該固定台部は該フック用孔部を通るような位置関係をもって該フックを固定可能であり、これにより該フックを外固定台部に固定した場合に、全てのフックが綴じられた全ての各期表示シートのフック用孔部を貫通して最表面の各期表示シートから突出した状態を形成可能である、日毎管理用カレンダー。
【請求項９】
複数の日からなる一定期間の日付が連続的に表示されてなる各期表示シート二枚以上と、該各期表示シートを綴じる綴じ部と、該各期表示シートに設けられる後記日付欄の数と同数以上のフックを固定可能な固定台部とからなる日毎管理用カレンダーであって、該各期表示シートには当該期間の日付を示す共通様式の日付表示領域が設けられ、該日付表示領域は各日に対応する日付欄からなり、該日付欄には該フックを通すことのできるフック用孔部が設けられ、該固定台部は該フック用孔部を通るような位置関係をもって該フックを固定可能であり、これにより該フックを外固定台部に固定した場合に、全てのフックが綴じられた全ての各期表示シートのフック用孔部を貫通して最表面の各期表示シートから突出した状態を形成可能である、日毎管理用カレンダー。
【請求項１０】
前記固定台部は前記綴じ部に綴じられている最奥部の前記各期表示シートであることを特徴とする、請求項８または９に記載の日毎管理用カレンダー。
【請求項１１】
前記固定台部は前記綴じ部に綴じられておらず、前記各期表示シートとは別体であることを特徴とする、請求項８または９に記載の日毎管理用カレンダー。
【請求項１２】
医薬服用の管理に用いられることを特徴とする、請求項８ないし１１のいずれかに記載の日毎管理用カレンダー。
【請求項１３】
請求項８ないし１１に記載の日毎管理用カレンダーと、該日毎管理用カレンダーの固定台部に固定可能な仕様のフックと、該フックに吊り下げ可能な吊り下げ物とからなる、日毎管理用カレンダーセット。
【請求項１４】
医薬服用の管理に用いられることを特徴とする、請求項１３に記載の日毎管理用カレンダーセット。
【請求項１５】
複数の日からなる一定期間の日付が連続的に表示されてなる各期表示シート二枚以上と、該各期表示シートを綴じる綴じ部とからなる日毎管理用カレンダー本体であって、該各期表示シートには当該期間の日付を示す共通様式の日付表示領域が設けられ、該日付表示領域は各日に対応する日付欄からなり、少なくとも二以上の該日付欄には本日毎管理用カレンダー本体の裏方向からフックを通すためのフック用孔部が設けられ、これにより全てのフックが綴じられた全ての各期表示シートのフック用孔部を貫通して最表面の各期表示シートから突出した状態を形成可能である、日毎管理用カレンダー本体。
【請求項１６】
複数の日からなる一定期間の日付が連続的に表示されてなる各期表示シート二枚以上と、該各期表示シートを綴じる綴じ部とからなる日毎管理用カレンダーであって、該各期表示シートには当該期間の日付を示す共通様式の日付表示領域が設けられ、該日付表示領域は各日に対応する日付欄からなり、該日付欄には本日毎管理用カレンダー本体の裏方向からフックを通すためのフック用孔部が設けられ、これにより全てのフックが綴じられた全ての各期表示シートのフック用孔部を貫通して最表面の各期表示シートから突出した状態を形成可能である、日毎管理用カレンダー本体。
【発明の詳細な説明】
【技術分野】
【０００１】
本発明は日毎管理用カレンダー構造、日毎管理用カレンダー、および日毎管理用カレンダーセットに係り、特に医薬の服用など日毎に実行を管理すべき事項について確実な管理を実現するための、日毎管理用カレンダー構造等に関するものである。
【背景技術】
【０００２】
カレンダーを用いて薬の服用し忘れを防止するための工夫、いわゆる「お薬カレンダー」の類については、従来多くの技術的提案がなされている。たとえば後掲特許文献１に開示のものはその一例である。これは、最長で一ヶ月単位の期間表示シートの日付欄内に朝・昼・夕等の薬の服用時間帯の表示を設け、各服用時間帯の表示部分に服用確認票を着脱可能に取り付けることができるように構成したものである。
【０００３】
つまり、カレンダーにおける各服用時間帯に対応する個所に、横並びに複数の係合孔を形成し、また、服用確認票は頭部が幅の狭い首部で票本体と連続する構成のものとし、服用確認票の頭部がカレンダーの所要の係合孔に挿入されてカレンダーの裏面に係合して吊り下げられるようにしたものである。これによって薬の飲み忘れを防止することができ、また、薬を服用した後は次の指定服用時間帯への服用指示票の移動を容易に行なえるとしている。
【先行技術文献】
【特許文献】
【０００４】
【特許文献１】特開２００４−２０９９９１号公報「薬服用カレンダー」
【発明の概要】
【発明が解決しようとする課題】
【０００５】
しかし上述特許文献開示技術では、１日の日付の中に複数の時間帯表示を設けるため、薬を吊り下げて使用する場合には、薬の服用を終了するたびに係合片を移動しなくてはならない。また、遅くても月が替わる際には、係合片をセットし直さなくてはならない。これらの作業は、広さに限界のある日付欄に複数の薬を吊り下げることによる過密さとも相まって、煩雑かつ不便であり、特に多種類の薬を服用しなくてはならない高齢者や、その世話をする高齢者にとっては大いに煩雑かつ不便であり、忘れずに行わなくてはならないという余計な精神的負担も生ずる。
【０００６】
また、１日に服用すべき薬の数や時間帯の数が多くなると、狭い日付欄に各時間帯のものが重なって吊り下げられることになり、吊り下げるのにも取るのにも不便であり、間違いも生じやすくなる。さらに、当該従来技術では、服用する薬が多い場合には薬そのものに替えて、飲み忘れ防止用のメモを吊り下げればよいとしているが、これでは結局、薬服用の管理は間接的なものとなってしまう。
【０００７】
特に高齢化の進展によって、高齢者が高齢者の介護を担当するいわゆる「老老介護」は今後ますます増加するものと予想されており、できる限りわかりやすく、取り扱いやすく、間違いのない日毎管理の方式が必要である。しかしながらそのような方式は、当該文献開示技術を含め、従来技術には見当たらない現状である。
【０００８】
そこで本発明が解決しようとする課題は、医薬服用の亡失防止管理のように日毎に実行を管理すべき事項について、できる限りわかりやすく、取り扱いやすく、間違いのない確実な管理を実現することのできる、日毎管理用カレンダー構造、日毎管理用カレンダー、および日毎管理用カレンダーセットを提供することである。
【課題を解決するための手段】
【０００９】
本願発明者は上記課題について検討した結果、月毎のシートなどの各期表示シートが綴じられたカレンダーにおいて、所定のフックが全てのシートを貫通して最表面に突出した状態が形成できるよう、各シートに所定の孔部を必要数設けることによって課題を解決できることに想到し、本発明に至った。すなわち、上記課題を解決するための手段として本願で特許請求される発明、もしくは少なくとも開示される発明は、以下の通りである。
【００１０】
（１）  複数の日からなる一定期間の日付が連続的に表示されてなる各期表示シート二枚以上と、該各期表示シートを綴じる綴じ部と、該各期表示シートに設けられる後記フック用孔部に通すためのフックと、該フックを固定可能なもしくは該フックが固定されている固定台部とからなる日毎管理用カレンダー構造であって、該各期表示シートには当該期間の日付を示す共通様式の日付表示領域が設けられ、該日付表示領域は各日に対応する日付欄からなり、少なくとも二以上の該日付欄には該フックを通すためのフック用孔部が設けられ、該固定台部は該フック用孔部を通るような位置関係をもって該フックを固定可能なもしくは該フックが固定されているものであり、これにより、全てのフックが綴じられた全ての各期表示シートのフック用孔部を貫通して最表面の各期表示シートから突出した状態を形成可能であるとともに、該フックには日毎管理を要する対象物その他の吊り下げ物を吊り下げ可能である、日毎管理用カレンダー構造。
（２）  複数の日からなる一定期間の日付が連続的に表示されてなる各期表示シート二枚以上と、該各期表示シートを綴じる綴じ部と、該各期表示シートに設けられる後記日付欄の数と同数以上のフックと、該フックを固定可能なもしくは該フックが固定されている固定台部とからなる日毎管理用カレンダー構造であって、該各期表示シートには当該期間の日付を示す共通様式の日付表示領域が設けられ、該日付表示領域は各日に対応する日付欄からなり、該日付欄には該フックを通すためのフック用孔部が設けられ、該固定台部は該フック用孔部を通るような位置関係をもって該フックを固定可能なもしくは該フックが固定されているものであり、これにより、全てのフックが綴じられた全ての各期表示シートのフック用孔部を貫通して最表面の各期表示シートから突出した状態を形成可能であるとともに、該フックには日毎管理を要する対象物その他の吊り下げ物を吊り下げ可能である、日毎管理用カレンダー構造。
（３）  前記固定台部は前記綴じ部に綴じられていることを特徴とする、（１）または（２）に記載の日毎管理用カレンダー構造。
（４）  前記固定台部は最奥部の前記各期表示シートであることを特徴とする、（３）に記載の日毎管理用カレンダー構造。
【００１１】
（５）  前記固定台部は前記綴じ部に綴じられておらず、前記各期表示シートとは別体であることを特徴とする、（１）または（２）に記載の日毎管理用カレンダー構造。
（６）  前記固定台部には前記フックが予め固定されていることを特徴とする、（５）に記載の日毎管理用カレンダー構造。
（７）  前記吊り下げ物は医薬の服用に係るものであり、医薬服用の管理に用いられることを特徴とする、（１）ないし（６）のいずれかに記載の日毎管理用カレンダー構造。
（８）  複数の日からなる一定期間の日付が連続的に表示されてなる各期表示シート二枚以上と、該各期表示シートを綴じる綴じ部と、該各期表示シートに設けられる後記フック用孔部に通すためのフックを固定可能な固定台部とからなる日毎管理用カレンダーであって、該各期表示シートには当該期間の日付を示す共通様式の日付表示領域が設けられ、該日付表示領域は各日に対応する日付欄からなり、少なくとも二以上の該日付欄には該フックを通すためのフック用孔部が設けられ、該固定台部は該フック用孔部を通るような位置関係をもって該フックを固定可能であり、これにより該フックを外固定台部に固定した場合に、全てのフックが綴じられた全ての各期表示シートのフック用孔部を貫通して最表面の各期表示シートから突出した状態を形成可能である、日毎管理用カレンダー。
【００１２】
（９）  複数の日からなる一定期間の日付が連続的に表示されてなる各期表示シート二枚以上と、該各期表示シートを綴じる綴じ部と、該各期表示シートに設けられる後記日付欄の数と同数以上のフックを固定可能な固定台部とからなる日毎管理用カレンダーであって、該各期表示シートには当該期間の日付を示す共通様式の日付表示領域が設けられ、該日付表示領域は各日に対応する日付欄からなり、該日付欄には該フックを通すことのできるフック用孔部が設けられ、該固定台部は該フック用孔部を通るような位置関係をもって該フックを固定可能であり、これにより該フックを外固定台部に固定した場合に、全てのフックが綴じられた全ての各期表示シートのフック用孔部を貫通して最表面の各期表示シートから突出した状態を形成可能である、日毎管理用カレンダー。
（１０）  前記固定台部は前記綴じ部に綴じられている最奥部の前記各期表示シートであることを特徴とする、（８）または（９）に記載の日毎管理用カレンダー。
（１１）  前記固定台部は前記綴じ部に綴じられておらず、前記各期表示シートとは別体であることを特徴とする、（８）または（９）に記載の日毎管理用カレンダー。
（１２）  医薬服用の管理に用いられることを特徴とする、（８）ないし（１１）のいずれかに記載の日毎管理用カレンダー。
（１３）  （８）ないし（１１）に記載の日毎管理用カレンダーと、該日毎管理用カレンダーの固定台部に固定可能な仕様のフックと、該フックに吊り下げ可能な吊り下げ物とからなる、日毎管理用カレンダーセット。
【００１３】
（１４）  医薬服用の管理に用いられることを特徴とする、（１３）に記載の日毎管理用カレンダーセット。
（１５）  複数の日からなる一定期間の日付が連続的に表示されてなる各期表示シート二枚以上と、該各期表示シートを綴じる綴じ部とからなる日毎管理用カレンダー本体であって、該各期表示シートには当該期間の日付を示す共通様式の日付表示領域が設けられ、該日付表示領域は各日に対応する日付欄からなり、少なくとも二以上の該日付欄には本日毎管理用カレンダー本体の裏方向からフックを通すためのフック用孔部が設けられ、これにより全てのフックが綴じられた全ての各期表示シートのフック用孔部を貫通して最表面の各期表示シートから突出した状態を形成可能である、日毎管理用カレンダー本体。
（１６）  複数の日からなる一定期間の日付が連続的に表示されてなる各期表示シート二枚以上と、該各期表示シートを綴じる綴じ部とからなる日毎管理用カレンダーであって、該各期表示シートには当該期間の日付を示す共通様式の日付表示領域が設けられ、該日付表示領域は各日に対応する日付欄からなり、該日付欄には本日毎管理用カレンダー本体の裏方向からフックを通すためのフック用孔部が設けられ、これにより全てのフックが綴じられた全ての各期表示シートのフック用孔部を貫通して最表面の各期表示シートから突出した状態を形成可能である、日毎管理用カレンダー本体。
【発明の効果】
【００１４】
本発明の日毎管理用カレンダー構造、日毎管理用カレンダー、および日毎管理用カレンダーセットは上述のように構成されるため、これによれば、医薬服用の忘れ防止管理のように日毎に実行を管理すべき事項について、従来よりもわかりやすい管理、取り扱いやすい管理、間違いのない確実な管理が可能となる。
【００１５】
特に医薬服用の管理については、従来のような煩雑さや不便を解消でき、精神的負担・心労も減じることができる。殊に、多種類の薬を服用しなくてはならない高齢者やその世話をする高齢者などにとって、その効果は極めて大きい。
【図面の簡単な説明】
【００１６】
【図１】本発明日毎管理用カレンダー構造の基本的構成を示す説明図である。
【図１−２】図１の要部拡大断面図である。
【図１−３】図１の要部拡大断面図である。
【図２】本発明日毎管理用カレンダー構造の別の構成を示す要部拡大断面図である。
【図２−２】本発明日毎管理用カレンダー構造のまた別の構成を示す要部拡大断面図である。
【図３】本発明日毎管理用カレンダー構造における固定台部の構成例を示す正面図である。
【図３−２】図３に示す本発明構成例の使用方法を示す要部拡大斜視図である。
【図４−１】実施例１の正面写真である。
【図４−２】実施例１のフック固定方法を示す写真である。
【図４−３】実施例１において全てのフックを固定した状態を示す写真である。
【図４−４】実施例１の使用状態を示す写真である。
【図４−５】実施例１の使用状態を示す写真である。
【図４−６】実施例１における使用の途中経過を示す写真である。
【図５−１】実施例２を示す写真である。
【図５−２】実施例２の固定台部の写真である。
【発明を実施するための形態】
【００１７】
以下、図面により本発明を詳細に説明する。
図１は、本発明日毎管理用カレンダー構造の基本的構成を示す説明図である。また、
図１−２および図１−３は、図１の要部拡大断面図である。これらに図示するように本日毎管理用カレンダー構造１０は、複数の日からなる一定期間の日付が連続的に表示されてなる各期表示シート１が二枚以上と、各期表示シート１を綴じる綴じ部７と、各期表示シート１に設けられる後記日付欄３の数と同数以上のフック６と、フック６を固定可能もしくはフック６が固定されている固定台部５とから構成される。そして、それぞれの各期表示シート１には、当該期間の日付を示す共通様式の日付表示領域２が設けられ、日付表示領域２は各日に対応する日付欄３、３、・・・からなり、日付欄３にはフック６を通すためのフック用孔部４が設けられる。また固定台部５は、フック用孔部４を通るような位置関係をもってフック６を固定可能な構成を備えているか、または、フック６が既に固定されている構成のいずれかである。
【００１８】
かかる構成により本発明日毎管理用カレンダー構造１０では、全てのフック６が、綴じられた全ての各期表示シート１のフック用孔部４を貫通して、最表面の各期表示シート１から突出した状態が形成される。そしてフック６には、日毎管理を要する対象物その他の吊り下げ物８が吊り下げ可能となる。フック６に吊り下げられた吊り下げ物８は、その取り外しが必要となる都度、取り外される。
【００１９】
最表面の各期表示シート１に表示された日付が全て経過し、全ての日付欄３、３、・・・に係る全ての吊り下げ物８がフック６から取り外されて、その各期表示シート１が担当する全ての日毎管理が終了すると、最表面の各期表示シート１はめくられ、その際に全てのフック用孔部４はフック６との係り合いから脱出し、綴じ部７から除去される。そして、その下にあった各期表示シート１が今度は、新たな最表面のシートとなる。
【００２０】
当該シート１の各フック用孔部４、４、・・・からは、フック６、６、・・・が突出した状態となっているので、これに、所定の吊り下げ物８を吊り下げ、新たな期間における日毎管理が開始される。以上の作用・作業が、綴じ部７に綴じられた各期表示シート１が無くなるまで繰り返される。
【００２１】
各期表示シート１としては、一枚に一ヶ月分の日付が表示されたものが、家庭生活・社会生活のリズムともよく適合し、さらに一枚のシートにおける日毎管理の容量として約３０日程度は無理のない容量でもあり、望ましい。しかしながら本発明はそれに限定されない。たとえば二ヶ月分を一枚に表示するもの、半月分を表示するもの、一週間分を表示するものなど、日毎管理の内容や管理頻度など用途に応じ、各期表示シート１に表示する期間は、適宜の期間とすることができる。
【００２２】
カレンダーは通常、一年十二ヶ月分を単位とするものであるから、本日毎管理用カレンダー構造１０においても、設ける各期表示シート１の数は十二枚とすることができる。しかしながらそれには限定されず、たとえば半年分の六枚、二年分の二十四枚など、日毎管理の内容や管理頻度など用途に応じ、各期表示シート１の枚数は、適宜の枚数とすることができる。
【００２３】
各期表示シート１の材料は紙で充分であるが、一シート分の日毎管理が終了する都度、シート１を一枚ずつ容易にめくることができ、その際にフック用孔部４をフック６から容易に脱出させることができる可撓性を有し、さらに綴じ部７から容易に除去できるシート状体である限り、日毎管理の内容や管理頻度など使用目的に応じて、如何なる材質・物性・サイズその他の仕様の材料であっても用いることができる。
【００２４】
各期表示シート１を綴じる綴じ部７は、複数枚のシート１を確実・安定的に綴じておけるものである限り、如何なる材料・物性・形状・その他の仕様のものでもよい。
【００２５】
フック６は、各期表示シート１に設けられた日付欄３の数と同数以上を備えるものとすることができる。日付欄３の数はすなわち、その各期表示シート１において可能な日毎管理の最大日数を示すものでああるから、フック６はその数と同数あるいはそれ以上準備しておけば、日毎管理が毎日必要な場合に充分対応できるからである。
【００２６】
しかしながら、フック６の数が日付欄３の数未満である場合も、本発明においては排除されない。つまり、日毎管理が一日おきや数日おきのインターバルを有する場合などは、必要なフック６の数は日付欄３の数より少なくても、必要数以上なのである限り、使用には充分だからである。したがって、日毎管理の内容や管理頻度など用途に応じ、本日毎管理用カレンダー構造１０に備えるフック６の数は、適宜の数とすることができる。
【００２７】
フック６の材質、形状、物性、サイズその他の仕様については、日毎管理対象の吊り下げ物８を必要な期間中、確実・安定的に吊り下げ維持できるものである限り、いかなるものであってもよい。吊り下げ物８は一つのフック６について複数吊り下げが必要な場合も、またその重量が各個別々の場合もあり得るが、必要な日毎管理の内容や管理頻度など、用途に応じた仕様のフックを適宜用いることとすればよい。
【００２８】
また、予めなされている場合であれ、事後に行う場合であれ、固定台部５にフック６を固定する方法は、用いるフックの仕様に応じ、貼着、ねじ込み固定、その他適宜の方法を用いることができる。たとえば、予め貼着剤が塗布されている既成のフックを用いる場合は、所定の方法でこれを固定台部５に貼着すればよい。なお、固定台部５およびそれにフック６を固定するいくつかの方式例については、後述する。
【００２９】
なおまた、実施例で後述するように、フックには、これに吊り下げる吊り下げ物が特に複数となる場合に、吊り下げ物の脱離を防止するための構成を付加することもできる。たとえば、脱離を防止できる程度以上の摩擦係数を備えるための材料やその表面処理、フック上に突起を設けるなどの脱離防止の構造、後からフックに被覆する脱離防止用障害物を用いる方式、などである。
【００３０】
各期表示シート１に設ける日付表示領域２は、期間の日付を示す共通様式にて構成することが望ましい。特に、日付欄３のサイズや形状、配列方法については少なくとも、各シート１、１、・・・で共通とすることが望ましい。日毎管理の良好適切な実施のためである。
【００３１】
日付欄３に設けるフック用孔部４は、これにフック６を通すためのものである。フック用孔部４は、全ての日付欄３に設けることが望ましい。それにより、毎日の日毎管理が必要な場合にも対応可能だからである。しかしながら、目的とする日毎管理の内容や管理頻度などにより、全日付欄の一部のみにフック用孔部を設けることで済む場合には、この限りではない。
【００３２】
またフック用孔部４は、場合によっては日付欄３の他にも、それとは別の場所に設けることとしてもよい。特に、月毎の各期表示シートとして、かつ曜日表示をたとえば「月・火・水・木・金・土・日」のように固定した配置にて行う場合は、月によっては、月末や月初めの日付欄を設けにくい場合もあり得る。そのような場合にも対応可能とするためである。もっとも、フック用孔部の設ける箇所はすべて日付欄が形成された形態とすることが、管理上は便利である。
【００３３】
日付欄３中においてフック用孔部４を設ける位置・サイズ・形状その他の仕様は、特に限定されないが、「１」、「２」、・・「３０」などの日付表示視認の障害とならないような位置とすることが望ましい。なお、フック用孔部４を設ける位置その他の仕様を、それぞれの各期表示シート１、１、・・・において共通にする。これは、固定台部５に固定された、あるいはされるフック６を、常に最表面のシート１から突出させるためである。
【００３４】
本発明の日毎管理用カレンダー構造１０においては、フック６は、固定台部５に対して後付けするように構成してもよいし、また、予め固定台部５に固定された状態にて提供されることとしてもよい。
【００３５】
固定台部５としては、これに全てのフック６を確実・安定的に固定できるものである限り、いかなる材質・形状・物性・サイズその他の仕様のものであっても、用いることができる。たとえば、木製、合成樹脂製、金属製、厚紙製など適宜の板状材料による固定台部としてもよいし、各期表示シートと材料・厚さの少なくともいずれかが同じシート状材料を用いてもよい。また、特に後者の場合などは、各期表示シート１と一緒に綴じ部７に綴じた形態とすることもできる。
【００３６】
フック６には、日毎管理を要する対象物や、その他吊り下げ可能な物を、吊り下げ物８として吊り下げることができる。吊り下げ物８の形状・サイズ・材質その他の仕様は、一切限定されない。したがって、密封状態や開放状態の袋状、ポケット状、その他の形態のもの、メモ用紙、医薬等の分包、その他どのようなものでも、フック６がその荷重に耐えるものである限り、吊り下げ物８として吊り下げることができる。
【００３７】
ところで、上述した特許文献開示技術に取り上げられていたように、一日の中のたとえば朝・昼・夕の時間帯毎の管理など、一の日付欄３内に複数の管理対象物があるような日毎管理を要する場合は、吊り下げ物８の表面にその旨の表示を後から記載すればよい。あるいはまた、本日毎管理用カレンダー構造１０を、たとえば「朝用」「昼用」「夜用」等の適宜の表示を予め記載・印刷等した吊り下げ物８としての袋などを、別途準備した提供形態とすることもできる。
【００３８】
なお、ここまで述べたことも含め、本発明で「日毎管理」とは、毎日行われる管理のみならず、たとえば一日おきとか二日おきとか、毎週月曜日および木曜日とか、毎日以外の場合であっても、管理対象単位が「一日間」の中である限り、該当する。
【００３９】
吊り下げ物８には、フック６に係止させて吊り下げるための構造を設ける。たとえば、吊り下げ物８本体に設けた適宜サイズ・位置その他仕様の孔部や、吊り下げ物８本体に連設された鈎状構造（フック）、あるいは本体に後付けする係止用の孔空き片など、適宜の形態のものを用いることができる。
【００４０】
図２および図２−２は、本発明日毎管理用カレンダー構造の別の構成を示す要部拡大断面図である。これらに示すように本日毎管理用カレンダー構造においては、固定台部として、最奥部の各期表示シート２５や３５を用いる構成とすることができる。
【００４１】
このうち図２では、最奥部の各期表示シートを固定台部２５とし、そのオモテ面にフック２６を固定する構成である。この場合、最奥部の各期表示シート（２５）はその日付欄上にフック２６の固定用部分が貼着等されることになるので、フック２６はできるだけ日付表示の障害とならないようなサイズ、形状その他の仕様であることが望ましい。
【００４２】
また図２−２では、最奥部の各期表示シートを固定台部３５とし、そのウラ面にフック３６を固定し、固定台部３５たる最奥部の各期表示シートのフック用孔部３４をも通して、フック３６を突出させる構成である。この方式によれば、図２に示した方式とは異なり、フック３６が日付表示の障害となることはない。なお後述する実施例１は、この方式を採ったものである。
【００４３】
図３は、本発明日毎管理用カレンダー構造における固定台部の構成例を示す正面図であり、また、図３−２は、図３の構成例の使用方法を示す要部拡大斜視図である。これらに示すように本日毎管理用カレンダー構造においては、固定台部４５を、綴じ部に綴じられていない、各期表示シートとは別体として構成することができる。後述する実施例２は、この方式を採ったものである。
【００４４】
なお図示する例は、後述する実施例２とは異なり、剛性とある程度の塑性を備えた板状材料からなる固定台部４５とした例であり、日毎管理用カレンダー構造に設けられるフック用孔部に対応する位置関係にて、フック４６、４６、・・・を設けた構成である。固定台部４５をなす板状材料の所定部分にコの字状の切れ目を設けて舌片（４６）とし、この舌片を起こすことによってフック状に形成する。起こす角度は、材料の塑性によって適宜に調節できる。また不要な場合は舌片を起こさなくてもよいし、一度起こしたフック４６を元に戻すこともできる。
【００４５】
以上、本発明の日毎管理用カレンダー構造について説明したが、フックを除いて固定台部は含めた日毎管理用カレンダーも、あるいはまたフックも固定台部も除いた日毎管理用カレンダー本体も、いずれも本願発明の範囲内である。
【００４６】
固定台部を含めた日毎管理用カレンダーの場合は、上述の通り、綴じ部に綴じられている最奥部の各期表示シートを固定台部とする構成も、各期表示シートとは別体として固定台部を備える構成も、採ることができる。
【００４７】
また、固定台部を構成要素として含む日毎管理用カレンダーと、その固定台部に固定可能な仕様のフックと（以上により、日毎管理用カレンダー構造が構成される）、さらにフックに吊り下げ可能な吊り下げ物とをセットとした、日毎管理用カレンダーセットもまた、本発明の範囲内である。
【実施例】
【００４８】
以下、本発明の実施例を説明するが、本発明はこれらの実施例に限定されるものではない。
＜実施例１  日毎管理用カレンダー構造、日毎管理用カレンダーセット＞
図４−１〜４−６は、実施例１について説明した写真である。
図４−１は実施例１の正面写真、図４−２は実施例１のフック固定方法を示す写真である。図示するように日毎管理用カレンダー構造５１０は、複数の日からなる一定期間の日付が連続的に表示されてなる各期表示シート５１Ａ等、各期表示シート５１Ａ等を綴じる綴じ部５７と、各期表示シート５１Ａ等に設けられる日付欄５３の数と同数以上のフック５６と、フック５６を固定可能な固定台部５５としての各期表示シート５１Ｌとから構成される。
【００４９】
そして、それぞれの各期表示シート５１Ａ等には、当該期間の日付を示す共通様式の日付表示領域５２が設けられ、日付表示領域５２は各日に対応する日付欄５３、５３、・・・からなり、日付欄５３にはフック５６を通すためのフック用孔部５４が設けられる。また固定台部５５（５１Ｌ）は、フック用孔部５４を通るような位置関係をもってフック５６を固定可能である。
【００５０】
図４−１中、フック用孔部５４は径約８ｍｍである旨の説明記載があるが、これは本実施例における望ましいサイズの一例であり、本発明がこれに限定されないことはいうまでもない。
【００５１】
図４−２に示すように本実施例では、従来多用されている貼着型のフックとは異なり、内側面５６Ａを接着面としたフックを用いる。内側面５６Ａによって固定台部５５（５１Ｌ）の裏側に、フック５６の鈎状端部をフック用孔部５４を通した状態で、フック５６本体を貼着する。
図４−３は、本実施例において全てのフックを固定した状態を示す写真である。なお図４−２中には、「１２月カレンダーの裏側」とある通り、本実施例は月めくりカレンダー型である。本発明がこれに限定されないことは上述の通りである。
【００５２】
図４−４、４−５は、本実施例の使用状態を示す写真である。これらに図示するように、最表面の各期表示シート５１Ａのフック用孔部５４から突出しているフック５６に、係止用の孔が設けられた袋状の吊り下げ物５８Ａや、薬局において提供されるような薬袋あるいは分包であって係止用の孔が設けられている吊り下げ物５８Ｂを、当該係止用の孔をフック５６の鈎状端部に通して係止することで、吊り下げることができる。
【００５３】
本実施例では、医薬を入れた袋や薬袋であれば、６枚程度は全く問題なく重ねて吊り下げることができる。したがって本実施例を医薬服用の日毎管理に用いる場合、一日あたり６件の医薬は充分に管理可能である。たとえば、朝・昼・夕それぞれの時間帯に２件ずつの医薬を服用しなくてはならない場合であっても、本実施例を用いて、適切かつ容易に管理することができる。図示するように、袋状に適宜の記載をしたり、あるいは予め所定の記載を表示した吊り下げ物を準備して提供することとすれば、一日に複数の吊り下げ物を用いる場合に、さらに便利となる。
【００５４】
フック５６に複数の吊り下げ物５８Ｂ等を吊り下げる際、その材質によっては、一つを取り外す際に下の吊り下げ物も一緒に外れてしまうなどといった不具合が生じる可能性がある。その場合は、たとえば図４−５に示すように脱け止め５７をフック５６の先端部に嵌め込んで吊り下げ物の不用意な脱離を防止することができる。もっとも、脱離防止方法としてはかかる方法に限られないことは、既に述べた通りである。
【００５５】
図４−６は、本実施例における使用の途中経過を示す写真である。図示するように、所定期間における日毎管理が終了した各期表示シート５１Ａは、通常の月めくりカレンダーのようにめくって、そのフック用孔部５４、５４、・・・をフック５６、５６、・・・から脱出させ、綴じ部５７から取り外せば、その下の各期表示シート５１Ｂが今度は最表面のシートとなる。各期表示シート５１Ｂの各フック用孔部５６からはフック５４が突出した状態であるので、これにまた必要な吊り下げ物を吊り下げ、日毎管理に供する。このように本発明によれば、日毎管理に係る一定期間が終了して次の期間に移る場合も、改めてフックをセットし直す必要がなく、便利である。
【００５６】
＜実施例２  日毎管理用カレンダー構造＞
図５−１は、実施例２を示す略正面写真、図５−２は実施例２の固定台部の略写真である。これらに図示するように本実施例の日毎管理用カレンダー構造６１０は、固定台部６５を別体とした構成である。かかる構成においては、使用者はフックを固定台部にセットする労力が不要である。また、固定台部６５は、日毎管理用カレンダー本体の各期表示シート６１が全て使用・除去された後でも、再使用することができる。つまり、新しい日毎管理用カレンダー本体のみを揃えれば、これと固定台部６５とを合わせることによって、再使用することができる。
【産業上の利用可能性】
【００５７】
本発明の日毎管理用カレンダー構造、日毎管理用カレンダー、および日毎管理用カレンダーセットによれば、医薬服用の亡失防止管理のように日毎に実行を管理すべき事項について、従来よりもわかりやすい管理、取り扱いやすい管理、間違いのない確実な管理が可能となるため、産業上利用性が高い発明である。
【符号の説明】
【００５８】
１、２１、３１、５１Ａ、５１Ｂ、５１Ｌ、６１…各期表示シート
２、５２、６２…日付表示領域
３、５３、６３…記日付欄
４、２４、３４、５４、６４…フック用孔部
５、２５、３５、４５、５５、６５…固定台部
６、２６、３６、４６、５６、６６…フック
５６Ａ…フックの内側面（接着面）
７、５７、６７…綴じ部
８、５８Ａ、５８Ｂ…吊り下げ物
１０、５１０、６１０…日毎管理用カレンダー構造
【図１】
2011230438.tif 000003
【図１−２】
2011230438.tif 000004
【図１−３】
2011230438.tif 000005
【図２】
2011230438.tif 000006
【図２−２】
2011230438.tif 000007
【図３】
2011230438.tif 000008
【図３−２】
2011230438.tif 000009
【図４−１】
2011230438.tif 000010
【図４−２】
2011230438.tif 000011
【図４−３】
2011230438.tif 000012
【図４−４】
2011230438.tif 000013
【図４−５】
2011230438.tif 000014
【図４−６】
2011230438.tif 000015
【図５−１】
2011230438.tif 000016
【図５−２】
2011230438.tif 000017